(57)【要約】      （修正有）【課題】家庭用循環温浴器は、湯の吸込み、濾過、加温、殺菌、吹出しの循環経路で長期間にわたり浴湯を交換することなく継続的に使用する機能を有しているが、浴湯中に溶出した脂肪分や汗や老廃皮質が変性して粘性の高いヘドロ状の集溜汚物が濾過機能部分に蓄積され、これらを食餌とする菌群が増殖する温床となって湯が汚染される。この汚染を防ぐ家庭用循環温浴器を提供する。【解決手段】活性炭を漉き込んだ円筒の不織布をフィルター１３をボビン状の糸巻フィルター１４に被せた濾過フィルターを濾過タンク８に挿入して浴湯を物理的に不織布とフィルターの２段階で濾過し、濾過フィルターが捕捉した残滓を簡単な清掃除去や交換で処理できるようにする。【選択図】図５
2011056459.tif 000002
【特許請求の範囲】
【請求項１】
円筒型の濾過タンクの頂上部に、開閉自在でかつ液密を保ってドーム型蓋を取り付け、その内側天井部分から逆ドーム状にした濾過タンクの底部までの深さをタンクの深さよりも大として、タンク上縁からわずかに下のタンク周面に湯の流入口を１箇所設け、この湯流入口からポンプに吸引された浴湯がタンク内に流入し、タンクの底部中央に設けた湯流出口から流出してゆく構造の濾過タンク内に、
直径がタンク内直径の半分程度の円筒全体にメッシュ状の通湯穴を成型した芯にポリプロピレン糸を幾重にもクロス巻きにした外径が前記タンク内直径のおよそ２／３、長さがドーム型蓋の内側天井部分から濾過タンク底部までの深さよりもわずかに長いボビン状糸巻カートリッジと、
カートリッジの外径に適合した内径をもち微粒活性炭を漉き込んだ不織布製の円筒形のフィルターをカートリッジ被せて挿入して、
前記ドーム型蓋を閉めることで濾過フィルターを濾過タンク内に圧縮状態で収納した家庭用循環温浴器。
【発明の詳細な説明】
【技術分野】
【０００１】
本発明は、家庭用循環温浴器の湯濾過タンクと濾過フィルターとの関係において浴湯の９０％以上を濾過フィルターに強制透過させて浴湯を浄化すること、ならびに濾過フィルターの交換あるいは残滓を簡単に清掃できるようにすることで濾過機能部位での菌群の増殖を防ぐ新しい発想に基づいた家庭用循環温浴器に関するものである。
【背景技術】
【０００２】
本発明に関連する先行技術としては、濾過機能部位のフィルターと濾材のうちフィルターのみを交換する発想の特開平１０−２１６７０７号公報があった。
【先行技術文献】
【特許文献】
【０００３】
【特許文献１】特開平１０−２１６７０７号公報            特許文献１では、フィルターだけを取り出して洗浄するものであるが、濾材の洗浄はしないことから汚物質を蓄蔵する点で従来と変わらず、汚物質を蓄蔵させない本発明とは大きな相違がある。
【特許文献２】特願２００９−１３６９８７      特許文献２は、本出願人が先に申請したものであるが、本出願はこれと同じ効果を発揮する濾過フィルターの改良に関する発明である。
【発明の概要】
【発明が解決しようとする課題】
【０００４】
入浴適温に設定した家庭風呂の浴湯を、長期間にわたり循環浄化して継続利用する家庭用循環温浴器、通称２４時間風呂には浴湯中にはレジオネラ菌や大腸菌や一般細菌がいる。これらレジオネラ菌や大腸菌は人間と共生している菌の代表であって生活圏の水まわりには普遍的に存在しており、本来は無害である。  
【０００５】
浴湯に溶け込んだ脂肪分や汗や微細な剥離皮質を濾過し、多孔質粒状セラミックや多孔石に住みついた有機物分解バクテリアの作用で浄化をしながら、紫外線ランプ、オゾン気泡、塩素、銀イオン、銅イオン、電気分解、高温加熱等の様々な手段を単独あるいは複数の組合せで、浴湯中の菌類を安全基準値以下に抑制して浴槽に還流させるのが、これまでの共通する浄化方式である。
【０００６】
この浄化方式の根底は、増殖した菌類をいかに効率よく滅殺菌するかという発想にもとづくものである。
【０００７】
しかし、フィルターや多孔質粒状セラミック等の濾過材を循環器内の濾過槽から取り出すと、長期間にわたる循環濾過によって蓄積される汚物質は粘性の高いヘドロ状になっていて、この汚物の主体は脂肪分と汗と老廃皮質が分解あるいは変性したものであり、当然これらを食餌として増殖する菌群の温床になるので、長期間にわたり洗浄清掃を怠たって増殖した菌類が抵抗力の弱い老人や子どもの健康を、きわめてまれにではあるが害した例がある。
【課題を解決するための手段】
【０００８】
本発明は、家庭浴槽の平均的な湯容量２５０〜３００リットルを常時循環させながら、濾過タンク内で浴湯の９０％以上を強制透過させることで浄化効率を高め、その分短時日で濾過フィルターに溜まることになる残滓を容易に洗浄清掃できるようにして維持管理を簡便にした濾過装置を提供するものであり、この循環行程で濾過した残滓を、毎日でもあるいは２日毎に１回でも濾過フィルターを取り出してその清掃除去や、場合によっては濾過フィルターの交換をして、濾過機能部が菌群の増殖する温床にならないようにした家庭用循環温浴器である。
【０００９】
本発明の根底には、「増殖する菌類は、その発生源から絶つ」という発想があり、循環する浴湯中の菌類の増殖を抑制する方法を見出したものである。
【００１０】
本発明においては、頂上部にドーム型蓋を保温ジャーの蓋を着脱するようにねじ回して簡単に着脱できるようにし、底部を逆ドーム状にして内部空間の形状をカプセル型にした濾過タンクに、その内部空間よりも少し長くて両端が平面な濾過フィルターを入れてドーム型蓋をねじ回してしっかり締めると、濾過フィルター上下面の外縁はドーム型の曲面に沿って強く圧迫を受けて濾過タンクの上下に固く圧着する。こうすることで濾過タンクに流入した浴湯のほぼ全てを強制濾過させる。その結果、濾過フィルターには短時間で残滓が溜まることになるからフィルターの目詰まりを起こす前に、取り出して清掃あるいは交換ができるようにした。
【００１１】
このような構造であるから、いつでも本体の運転を一時停止してドーム型蓋をねじ回して開き、タンク内から濾過フィルターを取り出し、新品のまたは洗浄済の濾過フィルターを挿入して再びドーム型蓋をしっかりと締めることで点検・交換が完了し、２４時間風呂として運転を再開することができる。
【発明の効果】
【００１２】
２４時間風呂は、浴湯を循環浄化するので水資源の節約と下水処理水の減量、風呂を一から沸かさないことから電力あるいはガスを浪費しない、ガスを燃やさないからＣＯ2を直接に発生させない。こうした地球温暖化を防止する効果は、京都議定書に始まったわが国のエコ政策に非常に大きく貢献する。本発明は、利便性と取扱の簡易性と菌を増やさない新規性で２４時間風呂を大いに普及させて、殖え続けている家庭からの直接的ＣＯ2排出量を抑制することに極めて大きい効果を発揮するのである。
【図面の簡単な説明】
【００１３】
【図１】浴漕の上縁コーナーに家庭用循環温浴器を取り付けた説明図
【図２】本発明の家庭用循環温浴器の全体構成を示す説明図
【図３】円筒で中が空洞の１次フィルターとこれを外側に被せられる２次フィルターを示す図
【図４】濾過タンクと濾過フィルターの関係図
【図５】濾過タンク内部の湯流路を示す図
【発明を実施するための形態】
【００１４】
以下、図面をもとに本発明の詳細を実施例によって説明する。
【００１５】
図１に示すように、浴室設置タイプの家庭用循環温浴器１（以下、本体という）を浴漕上縁のコーナーに固定して設置する。
【００１６】
図２は、家庭用循環温浴器には本発明の濾過タンク８内に濾過フィルター（円筒状の１次フィルター１３をボビン状の２次フィルター１４の外周面に被せた２段階の濾過式フィルター）を装填した全体構成図である。
【００１７】
本体内濾過タンクの流入口９から濾過タンク８内に入り濾過タンク内の全面域から１次フィルター１３の活性炭で更に微細塵や溶融不純物を濾過され、２次フィルター１４を透過してさらに浄化されて、噴出ユニット６の噴出口か７から浴漕へと還流してゆく。
【００１８】
図３は、活性炭を微小な粒状にして漉き込んだ活性炭漉込不織布を円筒状にした１次フィルター１３と糸巻きカートリッジ１４との関係を示す説明図である。１次フィルター１３は、活性炭の吸着性を活用するもので、浴湯が透過するときに溶解する不純物質の浄化や菌類を捕捉する役目をする。
【００１９】
その内径は、糸巻カートリッジの太さより少し大きい直径として２次フィルターの外側に被せたり、抜き取ったりすることができるようにした。
【００２０】
図４は、長さＣが２４５ｍｍの糸巻カートリッジ芯１２に、ポリプロピレン糸を厚さＤが１４ｍｍ、芯の上下に２.５ｍｍずつ盛り上げて幾重にもクロス巻きした、長さＢが２５０ｍｍのボビン形の２次フィルター１４である。その外周面に図３に示した１次フィルター１３を被せて１次フィルターから２次フィルターへと２段階の濾過機能をもたせた本発明における濾過フィルターを、濾過タンク８に入れてドーム型蓋１１を保温ジャーの蓋をねじ回して着脱するのと同様に、ねじ回してしっかり締めると、蓋内側のドーム状天井部から逆ドーム状の濾過タンク底部までの長さA２４６ｍｍよりも長い濾過フィルターＢ２５０ｍｍの両端の縁周部は上下２ｍｍずつが圧縮されてドーム状曲面に強く圧着された状態になる。
【００２１】
図５は、ドーム型蓋内側天井部と濾過タンクの底部までの深さよりも長い濾過フィルターを濾過タンク８に入れてドーム型蓋１１を閉めた状態である。濾過フィルターはドーム型蓋内側天井部と濾過タンクの底部の間で圧縮され上下はそれぞれ圧着しているから、流入口９から濾過タンク内に流入してきた浴湯の９０％以上がタンク内壁と濾過フィルターの隙間を満たして全面域から１次フィルター１３、２次フィルター１４へと２段階を透過しなければ中央の円筒状の芯のメッシュ穴を通って流出口１０から出てゆけない構造にした。この濾過を経て濁りが除去されるのできわめて透明度の高い湯質になる。
【００２２】
なお、ボビン状の糸巻カートリッジは、水浄化に汎用されている市販品を援用することが可能である。
【産業上の利用可能性】
【００２３】
家庭用循環温浴器、いわゆる２４時間風呂は、毎日の浴漕の洗い、定量の水張りと適温の湯沸かし、家族の入浴時間差による追い炊きや足し湯といった手間から解放される利便効果と毎日の浴湯交換をしないことによる上下水道の節約になる省資源効果、そして風呂沸かしをしないからガス燃焼による直接的な二酸化炭素の発生がなく、地球温暖化防止への貢献・効果において家庭電化製品の中でも極めて有効なものである。
【００２４】
こうした利点だけでなく、本発明は低価格と簡易取扱と衛生上の安全を確立したことで購入者が増えて、業界も活性化することになる。
【符号の説明】
【００２５】
１  家庭用循環温浴器
２  シリコンホース
３  吸水ユニット
４  通水性スポンジプレフィルター  
５  吸水口
６  噴出ユニット
７  噴出口
８  濾過タンク
９  流入口
１０  流出口
１１  濾過タンク蓋
１２  糸巻カートリッジ芯
１３  １次フィルター  活性炭漉込円筒不織布
１４  ２次フィルター  糸巻カートリッジ
【図１】
2011056459.tif 000003
【図２】
2011056459.tif 000004
【図４】
2011056459.tif 000005
【図５】
2011056459.tif 000006
【図３】
2011056459.tif 000007
【手続補正書】
【提出日】平成22年2月15日(2010.2.15)
【手続補正１】
【補正対象書類名】特許請求の範囲
【補正対象項目名】請求項１
【補正方法】変更
【補正の内容】
【請求項１】
円筒型の濾過タンクの頂上部に、開閉自在でかつ液密を保つドーム型蓋を取り付け、その内側天井部分から濾過タンクの逆ドーム状にした底部までの深さをタンクの深さよりも大として、タンク上縁からわずかに下のタンク周面に湯の流入口を１箇所設け、この湯流入口からポンプで吸引された浴湯がタンク内に流入し、タンクの底部中央に設けた
湯流出口から流出してゆく構造の濾過タンク内に、
直径がタンク内直径の半分程度の円筒全体にメッシュ状の通湯穴を成型した芯にポリプロピレン糸を幾重にもクロス巻きにし、最終外径が前記タンク内直径のおよそ２／３、長さがドーム型蓋の内側天井部分から濾過タンク底部までの深さよりも長いボビン状糸巻カートリッジと、
カートリッジの外径に適合した内径をもち微粒活性炭を漉き込んだ不織布製の円筒形のフィルターをカートリッジの外周に被せて合体させた濾過フィルターを挿入して、
前記ドーム型蓋を閉めることでこの濾過フィルターを濾過タンク内に圧縮状態で収納した家庭用循環温浴器。  
【手続補正２】
【補正対象書類名】明細書
【補正対象項目名】００１０
【補正方法】変更
【補正の内容】
【００１０】
本発明においては、頂上部にドーム型蓋を保温ジャーの蓋を着脱するようにねじ回して簡単に着脱できるようにし、底部を逆ドーム状にして内部空間の形状をカプセル型にした濾過タンクに、その内部空間よりも少し長くて両端が平面な濾過フィルターを入れてドーム型蓋をねじ回してしっかり締めると、濾過フィルター上下面の外縁はドーム型の曲面に沿って強く圧迫を受けて濾過タンクの上下に固く圧着する。こうすることで濾過タンクに流入した浴湯のほぼ全てを強制濾過させる。
その結果、濾過フィルターには短時間で残滓が溜まることになるから濾過フィルターが目詰まりを起こしやすくなる。濾過残滓が多量に１次フィルターに付着して透過流量が少なくなった際には、濾過フィルターを取り出して清掃あるいは交換ができるようにしたことで、濾過残滓が長期間蓄積されて雑菌増殖の温床になることを防止した。
【手続補正３】
【補正対象書類名】明細書
【補正対象項目名】００１１
【補正方法】変更
【補正の内容】
【００１１】
このような構造であるから、いつでも本体の運転を一時停止してドーム型蓋をねじ回して開き、タンク内から濾過フィルターを取り出し、新品のまたは洗浄済の濾過フィルターを挿入して再びドーム型蓋をしっかりと締めることで、短かい時間で点検・交換が完了し、２４時間風呂として運転を再開することができる。
【手続補正書】
【提出日】平成22年6月28日(2010.6.28)
【手続補正１】
【補正対象書類名】特許請求の範囲
【補正対象項目名】全文
【補正方法】変更
【補正の内容】
【特許請求の範囲】
【請求項１】
濾過タンクの上縁からわずかに下のタンク内周面に浴湯の流入口を１箇所設け、タンク底部中央に浴湯の流出口を設けた円筒型の濾過タンクの頂上部に、自在に開閉でき、液密を保つために内面をドーム状にしたキャップ式の蓋を取り付け、この蓋を締めると濾過タンク内の空間形状がカプセル型になるよう底部も逆ドーム状にした濾過タンク内に、 直径がタンク内直径の半分程度で全体にメッシュ状の通湯穴を成型した円筒の芯にポリプロピレン糸を幾重にもクロス巻きにして最終外径を前記タンクの内直径のおよそ２／３とし、長さはこれを濾過タンク内に挿入して蓋を閉めたときに、水平で丸い上下端面の周縁部が、ドーム状蓋の内側天上部の曲面と濾過タンク底部の曲面とにそれぞれ接する長さよりもわずかに長くしたボビン状の糸巻フィルターの外側に、この外周よりわずかに大きい内周をもった円筒形の粒状活性炭を漉き込んだ不織布フィルターを被せて濾過タンクの中に挿入し、 タンク頂上部のキャップ式蓋を締めると濾過タンク内空間のカプセル形状をした上下の曲面に濾過フィルター上下端面の周縁部のみが押しつけられ圧着状態になって濾過タンク内に流入する浴湯が通過する隙間をなくして濾過フィルターの外周全面から浴湯のほぼ全てを強制透過させタンクの底部中央の流出口から流出するようにした家庭用循環温浴器。